(57)【要約】【課題】本発明の目的は、ＢＢＵ−ＲＲＵ間の所要帯域を低減できる分散型無線通信基地局システム、信号処理装置、無線装置、及び分散型無線通信基地局システムの動作方法を提供することである。【解決手段】本発明は、無線端末と無線信号を送受信する基地局の機能がＢＢＵとＲＲＵに分割されている分散型無線通信基地局システムであって、ＢＢＵとＲＲＵとを接続して光信号でＲｏＦ伝送する光ファイバと、無線帯域割当情報に基づいて重複可能な信号を検出し、前記信号を組み合わせてＲｏＦ伝送し、前記無線帯域割当情報に基づいて所望の信号を抽出する信号組み合わせ機能と、を備える。【選択図】図５
2014086994.tif 000002
【特許請求の範囲】
【請求項１】
無線端末と無線信号を送受信する基地局の機能が１つの信号処理装置（ＢＢＵ：Ｂａｓｅ  Ｂａｎｄ  Ｕｎｉｔ）と複数の無線装置（ＲＲＵ：Ｒｅｍｏｔｅ  Ｒａｄｉｏ  Ｕｎｉｔ）に分割されている分散型無線通信基地局システムであって、
１つの前記ＢＢＵと複数の前記ＲＲＵとを接続し、前記ＢＢＵと前記ＲＲＵとの間を光信号でＲｏＦ（Ｒａｄｉｏ  ｏｖｅｒ  Ｆｉｂｅｒ）伝送するＰＯＮ（Ｐａｓｓｉｖｅ  Ｏｐｔｉｃａｌ  Ｎｅｔｗｏｒｋ）システムと、
前記ＢＢＵにおいて、前記ＲＲＵに前記無線端末との無線信号に割り当てられている周波数帯域の情報が含まれる無線帯域割当情報に基づいて重複可能な信号を検出し、前記信号を組み合わせＲｏＦ伝送する前記光信号を形成し、前記ＲＲＵにおいて、受信した前記光信号を変換した電気信号から前記無線帯域割当情報に基づいて前記無線端末への所望の信号を抽出する信号組み合わせ機能と、
を備えることを特徴とする分散型無線通信基地局システム。
【請求項２】
前記ＢＢＵが、前記ＲＲＵへ伝送する信号を蓄積する前記ＲＲＵ毎のバッファを有しており、
前記信号組み合わせ機能は、前記バッファに蓄積された信号の中から前記重複可能な信号を検出し、前記バッファに前記信号を同時に出力させることで信号の組み合わせを実行することを特徴とする請求項１に記載の分散型無線通信基地局システム。
【請求項３】
前記信号組み合わせ機能は、全ての前記バッファに蓄積された信号について重複不可能と判断したときは前記バッファから前記信号を１つずつ出力させることを特徴とする請求項２に記載の分散型無線通信基地局システム。
【請求項４】
前記信号組み合わせ機能は、前記ＲＲＵへ伝送する信号のうち全ての前記ＲＲＵで共通する信号であれば前記重複可能な信号と判断することを特徴とする請求項１から３のいずれかに記載の分散型無線通信基地局システム。
【請求項５】
請求項１から４のいずれかに記載の分散型無線通信基地局システムが備える信号処理装置。
【請求項６】
請求項１から４のいずれかに記載の分散型無線通信基地局システムが備える無線装置。
【請求項７】
無線端末と無線信号を送受信する基地局の機能が１つのＢＢＵと複数のＲＲＵに分割されている分散型無線通信基地局の動作方法であって、
１つの前記ＢＢＵと複数の前記ＲＲＵとをＰＯＮシステムで接続し、前記ＢＢＵと前記ＲＲＵとの間を光信号でＲｏＦ伝送し、
前記ＢＢＵにおいて、前記ＲＲＵに前記無線端末との無線信号に割り当てられている周波数帯域の情報が含まれる無線帯域割当情報に基づいて重複可能な信号を検出し、前記信号を組み合わせＲｏＦ伝送する前記光信号を形成し、
前記ＲＲＵにおいて、受信した前記光信号を変換した電気信号から前記無線帯域割当情報に基づいて前記無線端末への所望の信号を抽出する
ことを特徴とする分散型無線通信基地局システムの動作方法。
【発明の詳細な説明】
【技術分野】
【０００１】
本発明は、無線通信基地局の機能が信号処理部と無線通信部に分割され物理的に離れた構成である分散型無線通信基地局システム及びその動作方法、分散型無線通信基地局システムが備える信号処理装置及び無線装置に関する。
【背景技術】
【０００２】
セルラーシステムにおいて、セル構成の自由度を向上するため、基地局の機能を信号処理部（ＢＢＵ：Ｂａｓｅ  Ｂａｎｄ  Ｕｎｉｔ）とＲＦ部（ＲＲＵ：Ｒｅｍｏｔｅ  Ｒａｄｉｏ  Ｕｎｉｔ）に分割して物理的に離れた構成とする事が検討されている。この時ＢＢＵ−ＲＲＵ間において無線信号はＲｏＦ（Ｒａｄｉｏ  ｏｖｅｒ  Ｆｉｂｅｒ）技術により光ファイバを通して伝送される。ＲｏＦ技術はアナログＲｏＦ技術とデジタルＲｏＦ技術に大別できるが、近年は伝送品質に優れたデジタルＲｏＦ技術の検討が盛んであり、ＣＰＲＩ（Ｃｏｍｍｏｎ  Ｐｕｂｌｉｃ  Ｒａｄｉｏ  Ｉｎｔｅｒｆａｃｅ）等の標準団体の下、使用策定が進められている（例えば、非特許文献１を参照。）。
【０００３】
また、一つのＢＢＵが複数のＲＲＵを収容する事もできる。これにより、各ＲＲＵに必要なＢＢＵを一つに集約する事ができ、運用／設置コストの削減が可能となる。このような形態の一例として、図６に示すよう、ＢＢＵ−ＲＲＵ間をＰＯＮ（Ｐａｓｓｉｖｅ  Ｏｐｔｉｃａｌ  Ｎｅｔｗｏｒｋ）で接続する形態が提案されている。この方式では、ＯＬＴ−光スプリッタ間の帯域は一定であるが、光スプリッタ−ＯＮＵ間の帯域はＯＮＵの所要帯域に合わせて変更する事ができる。ＰＯＮの信号多重方法としては、ＴＤＭ，ＷＤＭ，ＦＤＭ等が採用できる。
【先行技術文献】
【非特許文献】
【０００４】
【非特許文献１】ＣＰＲＩ，“ＣＰＲＩ  Ｓｐｅｃｉｆｉｃａｔｉｏｎ  Ｖ５．０”，Ｓｅｐ．，２０１１，ｈｔｔｐ：／／ｗｗｗ．ｃｐｒｉ．ｉｎｆｏ／ｓｐｅｃ．ｈｔｍｌ
【非特許文献２】３ＧＰＰ  ＴＳ  ３６．１０４  Ｖ１０．４．０，“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）ｓｅｍｉｋｏｒｏｎ  Ｂａｓｅ  Ｓｔａｔｉｏｎ  （ＢＳ）  ｒａｄｉo ｔｒａｎｓｍｉｓｓｉｏｎ  ａｎｄ  ｒｅｃｅｐｔｉｏｎ”，  ｐ．２８  （Ｓｅｐ．２０１１）．
【発明の概要】
【発明が解決しようとする課題】
【０００５】
ＢＢＵ−ＲＲＵ間のデジタルＲｏＦ伝送技術は本発明に関連する技術であり、以降、当該技術を関連技術と呼ぶ。また、ＢＢＵで作成した無線信号のＩ軸Ｑ軸ごとのデジタル信号（ＩＱデータ）を光信号に変換してＲＲＵへ伝送し、ＲＲＵで受信した光信号を無線信号に変換して、端末へと送信するリンクを下りリンクと呼ぶ。一方、端末が送信した無線変調信号をＲＲＵで受信し、受信した無線信号を光信号に変換してＢＢＵへ伝送し、ＢＢＵで受信した光信号をＩＱデータに変換して信号の復調を行うリンクを上りリンクと呼ぶ。
【０００６】
関連技術のＲＲＵの装置構成例を図７に示す。
【０００７】
ＲＲＵは上りリンクのため、無線信号の送信／受信を行うアンテナ１１と、送信／受信を切り替える送受切替部１２と、受信した無線信号の信号電力を信号処理ができるレベルまで増幅する増幅器２１と、無線信号をダウンコンバートするダウンコンバート部２２と、ダウンコンバートされたアナログ信号をＩＱデータに変換するＡ／Ｄ変換部２３と、ＩＱデータに対してフィルタリング処理を行うベースバンドフィルタ部（上り）２４と、ＩＱデータと制御信号を多重するフレーム変換部２５と、電気信号を光信号に変換して送信するＥ／Ｏ変換部２６を有する。
【０００８】
またＲＲＵは下りリンクのため、ＢＢＵから受信した光信号を電気信号に変換するＯ／Ｅ変換部３１と、受信信号から制御信号及びＩＱデータを取り出すフレーム変換部３２と、ＩＱデータに対してフィルタリング処理を行うベースバンドフィルタ部（下り）３３と、ＩＱデータをアナログ信号に変換するＤ／Ａ変換部３４と、アナログ信号をアップコンバートするアップコンバート部３５と、電力を決められた送信電力まで増幅する増幅器３６と、送受切替部１２とアンテナ１１を有する。
【０００９】
関連技術のＢＢＵの装置構成例を図８に示す。ＢＢＵは上りリンクのため、光信号を電気信号に変換するＯ／Ｅ変換部４１と、受信信号から制御信号及びＩＱデータを取り出すフレーム変換部４２と、ＩＱデータに対して復調を行う変復調部４３を有する。
【００１０】
またＢＢＵは下りリンクのため、無線変調信号のＩＱデータを出力する変復調部４３と、ＩＱデータと制御信号を多重するフレーム変換部５１と、電気信号を光信号に変換して送信するＥ／Ｏ変換部５２を有する。
【００１１】
ＬＴＥ（Ｌｏｎｇ  Ｔｅｒｍ  Ｅｖｏｌｕｔｉｏｎ）やＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）等のセルラーシステムにおいて、端末がユーザデータを送受信するためには、端末固有の通信チャネル（無線帯域）が必要である。この無線帯域の割当は基地局により行われる。ＬＴＥシステムを例に取ると、図９に示すように、基地局は最小１ｍｓ周期でスケジューリングを行い各端末へ無線帯域割当を行う。無線帯域割当はリソースブロック（ＲＢ：Ｒｅｓｏｕｒｃｅ  Ｂｌｏｃｋ）単位で行われ、１ＲＢは１８０ｋＨｚ、０．５ｍｓである。システム帯域幅が２０ＭＨｚの場合には、周波数軸上に１１０個のＲＢが存在する。また１ＲＢの中には、通常のサイクリックプレフィックスを想定すると、７シンボル（サイクリックプレフィックスを入れて１シンボル７１．４μｓ）が挿入されている。
【００１２】
関連技術において、無線変調信号をデジタル信号に変換する際のサンプリング周波数ｆｓは、システム帯域幅により決まる。ＣＰＲＩを例にとると、ＬＴＥのシステム帯域幅が２０ＭＨｚの場合ｆｓ＝３０．７２ＭＨｚ、システム帯域幅が１０ＭＨｚの場合ｆｓ＝１５．３６ＭＨｚである。
【００１３】
図１０は、関連技術の動作例を示している。ＢＢＵから各ＲＲＵに対して無線信号をデジタル信号に変換して伝送している。そして、各ＲＲＵに対してデジタルＲｏＦ伝送を行うために、ＰＯＮシステム下りリンクの帯域が各ＲＲＵ毎に必要となる。このため、関連技術には、ＢＢＵ−ＲＲＵ間でＲＲＵの数に応じた帯域が必要という課題があった。
【００１４】
そこで、本発明は、このような課題を解決すべく、ＢＢＵ−ＲＲＵ間の所要帯域を低減できる分散型無線通信基地局システム、信号処理装置、無線装置、及び分散型無線通信基地局システムの動作方法を提供することを目的とする。
【課題を解決するための手段】
【００１５】
本発明は、上記課題を解決するために、送信する各ＲＲＵへの信号に対し、周波数軸上での多重を行い、受信側においてはフィルタバンクを用いることでそれぞれ自装置当ての周波数信号を抜き出し、効率のよい伝送を可能とする。
【００１６】
具体的には、本発明に係る分散型無線通信基地局システムは、無線端末と無線信号を送受信する基地局の機能が１つの信号処理装置（ＢＢＵ：Ｂａｓｅ  Ｂａｎｄ  Ｕｎｉｔ）と複数の無線装置（ＲＲＵ：Ｒｅｍｏｔｅ  Ｒａｄｉｏ  Ｕｎｉｔ）に分割されている分散型無線通信基地局システムであって、
１つの前記ＢＢＵと複数の前記ＲＲＵとを接続し、前記ＢＢＵと前記ＲＲＵとの間を光信号でＲｏＦ（Ｒａｄｉｏ  ｏｖｅｒ  Ｆｉｂｅｒ）伝送するＰＯＮ（Ｐａｓｓｉｖｅ  Ｏｐｔｉｃａｌ  Ｎｅｔｗｏｒｋ）システムと、
前記ＢＢＵにおいて、前記ＲＲＵに前記無線端末との無線信号に割り当てられている周波数帯域の情報が含まれる無線帯域割当情報に基づいて重複可能な信号を検出し、前記信号を組み合わせＲｏＦ伝送する前記光信号を形成し、前記ＲＲＵにおいて、受信した前記光信号を変換した電気信号から前記無線帯域割当情報に基づいて前記無線端末への所望の信号を抽出する信号組み合わせ機能と、
を備えることを特徴とする。
【００１７】
また、本発明に係る分散型無線通信基地局システムの動作方法は、無線端末と無線信号を送受信する基地局の機能が１つのＢＢＵと複数のＲＲＵに分割されている分散型無線通信基地局の動作方法であって、
１つの前記ＢＢＵと複数の前記ＲＲＵとをＰＯＮシステムで接続し、前記ＢＢＵと前記ＲＲＵとの間を光信号でＲｏＦ伝送し、
前記ＢＢＵにおいて、前記ＲＲＵに前記無線端末との無線信号に割り当てられている周波数帯域の情報が含まれる無線帯域割当情報に基づいて重複可能な信号を検出し、前記信号を組み合わせＲｏＦ伝送する前記光信号を形成し、
前記ＲＲＵにおいて、受信した前記光信号を変換した電気信号から前記無線帯域割当情報に基づいて前記無線端末への所望の信号を抽出する
ことを特徴とする。
【００１８】
また、本発明に係る信号処理装置及び無線装置は、前記分散型無線通信基地局システムが備えるＢＢＵ及びＲＲＵである。
【００１９】
ＲＲＵでは、全ての無線帯域が常に信号伝送に使用されているわけではなく、端末数や端末の要求伝送速度に応じて、使用されていない無線帯域が存在する。また、無線帯域の割当は各ＲＲＵで独立である。このため、ＢＢＵが各ＲＲＵで送信される無線信号を加算しても、周波数軸上で重ならず、ＲＲＵでのフィルタリング処理等により別々に取り出せる。
【００２０】
そこで本発明では、ＢＢＵがＲＲＵへデジタルＲｏＦ伝送する際に、加算しても信号品質が劣化しない複数の無線信号の組み合わせを選択し、この組み合わせの信号を加算してＲＲＵへ伝送することとし、各ＲＲＵがフィルタリング処理等を用いて自身が送信する無線信号だけを取り出すこととした。これにより、ＰＯＮシステム下りリンクの所要帯域を減少できる。
【００２１】
従って、本発明は、ＢＢＵ−ＲＲＵ間の所要帯域を低減できる分散型無線通信基地局システム、信号処理装置、無線装置、及び分散型無線通信基地局システムの動作方法を提供することができる。
【００２２】
本発明に係る分散型無線通信基地局システムの前記ＢＢＵが、前記ＲＲＵへ伝送する信号を蓄積する前記ＲＲＵ毎のバッファを有しており、前記信号組み合わせ機能は、前記バッファに蓄積された信号の中から前記重複可能な信号を検出し、前記バッファに前記信号を同時に出力させることで信号の組み合わせを実行することができる。
【００２３】
本発明に係る分散型無線通信基地局システムの前記信号組み合わせ機能は、全ての前記バッファに蓄積された信号について重複不可能と判断したときは前記バッファから前記信号を１つずつ出力させることができる。
【００２４】
本発明に係る分散型無線通信基地局システムの前記信号組み合わせ機能は、前記ＲＲＵへ伝送する信号のうち全ての前記ＲＲＵで共通する信号であれば前記重複可能な信号と判断することができる。
【発明の効果】
【００２５】
本発明は、ＢＢＵ−ＲＲＵ間の所要帯域を低減できる分散型無線通信基地局システム、信号処理装置、無線装置、及び分散型無線通信基地局システムの動作方法を提供することができる。
【図面の簡単な説明】
【００２６】
【図１】本発明に係る無線装置を説明する図である。
【図２】本発明に係る無線装置が備えるフィルタバンクを説明する図である。
【図３】本発明に係る信号処理装置を説明する図である。
【図４】本発明に係る信号処理装置が備える記憶部を説明する図である。
【図５】本発明に係る分散型無線通信基地局システムの動作を説明する図である。
【図６】本発明に関連する分散型無線通信基地局システムを説明する図である。
【図７】本発明に係る関連する無線装置を説明する図である。
【図８】本発明に係る関連する信号処理装置を説明する図である。
【図９】ＬＴＥシステムの無線帯域割当手法を説明する図である。
【図１０】本発明に関連する分散型無線通信基地局システムの動作を説明する図である。
【発明を実施するための形態】
【００２７】
添付の図面を参照して本発明の実施形態を説明する。以下に説明する実施形態は本発明の実施形態であり、本発明は、以下の実施形態に制限されるものではない。なお、本明細書及び図面において符号が同じ構成要素は、相互に同一のものを示すものとする。
【００２８】
本実施形態の分散型無線通信基地局システムは、無線端末と無線信号を送受信する基地局の機能が１つのＢＢＵと複数の無線装置ＲＲＵに分割されている分散型無線通信基地局システムであって、
１つの前記ＢＢＵと複数の前記ＲＲＵとを接続し、前記ＢＢＵと前記ＲＲＵとの間を光信号でＲｏＦ伝送するＰＯＮシステムと、
前記ＢＢＵにおいて、前記ＲＲＵに前記無線端末との無線信号に割り当てられている周波数帯域の情報が含まれる無線帯域割当情報に基づいて重複可能な信号を検出し、前記信号を組み合わせＲｏＦ伝送する前記光信号を形成し、前記ＲＲＵにおいて、受信した前記光信号を変換した電気信号から前記無線帯域割当情報に基づいて前記無線端末への所望の信号を抽出する信号組み合わせ機能と、
を備える。
【００２９】
なお、図６のようにＢＢＵ１１０と複数のＲＲＵ１２０との間をＰＯＮシステム１３０で接続する場合、本実施形態の分散型無線通信基地局システムは、１つのＢＢＵ１１０と複数のＲＲＵ１２０とを接続し、ＢＢＵ１１０とＲＲＵ１２０との間を光信号でＲｏＦ伝送するＰＯＮシステム１３０と、
ＰＯＮシステム１３０のＢＢＵ側にあり、ＢＢＵ１１０で扱う信号形式とＰＯＮシステム１３０で伝送可能な信号形式とを相互変換し、ＰＯＮシステム１３０での光信号の衝突を回避する送信タイミングを制御するＯＬＴ（Ｏｐｔｉｃａｌ  Ｌｉｎｅ  Ｔｅｒｍｉｎａｌ）機能１４０と、
ＰＯＮシステム１３０の前記ＲＲＵ側にあり、ＲＲＵ１２０で扱う信号形式とＰＯＮシステム１３０で伝送可能な信号形式とを相互変換し、ＯＬＴ機能１４０から指示されたタイミングで上り光信号を送信するＯＮＵ（Ｏｐｔｉｃａｌ  Ｎｅｔｗｏｒｋ  Ｕｎｉｔ）機能１５０と、
を備える。
【００３０】
例えば、ＰＯＮシステム１３０としてＧＥ−ＰＯＮ（ＩＥＥＥ８０２．３ａｈ）、１０Ｇ−ＥＰＯＮ（ＩＥＥＥ８０２．３ａｖ）等のＴＤＭ−ＰＯＮシステムを適用する場合を考えると、ＯＬＴ機能１４０とは、下りリンクにおいてＢＢＵ１１０が出力するＩＱデータをＥｔｈｅｒｎｅｔ（登録商標）フレームにマッピングして所定のタイミングで送信する機能や、上りリンクにおいて受信したＥｔｈｅｒｎｅｔ（登録商標）フレームからＩＱデータを抽出する機能を含む。一方、ＯＮＵ機能１５０とは、下りリンクにおいて受信したＥｔｈｅｒｎｅｔ（登録商標）フレームからＩＱデータを抽出する機能や、上りリンクにおいてＲＲＵ１２０が出力するＩＱデータをＥｔｈｅｒｎｅｔ（登録商標）フレームにマッピングして所定のタイミングで送信する機能を含む。
【００３１】
図１は、本実施形態の分散型無線通信基地局システムが備えるＲＲＵの装置構成例を説明する図である。
【００３２】
ＲＲＵの上りリンクの装置構成は、図７の関連技術と同様である。ＲＲＵは、下りリンクのために、ＢＢＵから受信した光信号を電気信号に変換するＯ／Ｅ変換部３１と、受信信号から制御信号及びＩＱデータを取り出すフレーム変換部３２と、制御信号から下りリンクの無線帯域割当情報を取り出す無線帯域割当情報（下り）抽出部１６８ｂと、ＩＱデータに対してフィルタリング処理を行うフィルタバンク部（下り）３３ａと、ＩＱデータをアナログ信号に変換するＤ／Ａ変換部３４と、アナログ信号をアップコンバートするアップコンバート部３５と、無線信号の電力を増幅する増幅器３６を有する。
【００３３】
関連技術と異なりＲＲＵは、フィルタバンク部（下り）３３ａ及び無線帯域割当情報（下り）抽出部１６８ｂからなるＲＲＵ側の信号組み合わせ機能１９０−１を有する。無線帯域割当情報（下り）抽出部１６８ｂは、フレーム変換部３２が取り出した制御信号から下りリンクの無線帯域割当情報を抽出し、フィルタバンク部（下り）３３ａへ無線帯域割当情報を引き渡す。
【００３４】
図２は、フィルタバンク部（下り）３３ａの構成例である。無線帯域割当情報（下り）抽出部１６８ｂから受信した無線帯域割当情報を基に、必要周波数成分の信号だけを取り出すようなフィルタ係数をフィルタ係数決定部３３ｂで算出し、各フィルタ３３ｃのフィルタ係数を変更する。この構成によりフィルタバンク部（下り）３３ａは、下りリンクの無線帯域割当情報を基に、フレーム変幹部３２からのＩＱデータから自装置（ＲＲＵ）から無線端末へ送信する周波数成分の信号だけを取り出す。
【００３５】
図３は、本実施形態の分散型無線通信基地局システムが備えるＢＢＵの装置構成例を説明する図である。
【００３６】
ＢＢＵの上りリンクの装置構成は、図８の関連技術と同じである。ＢＢＵは、下りリンクのため、変調信号のＩＱデータを出力する変復調部４３と、ＩＱデータを記憶する記憶部１８０と、無線帯域割当情報とその他制御情報を多重して制御信号を作成する制御信号作成部５０と、ＩＱデータと制御信号を多重するフレーム変換部５１と、電気信号を光信号に変換して送信するＥ／Ｏ変換部５２を有する。
【００３７】
前記ＢＢＵが、前記ＲＲＵへ伝送する信号を蓄積する前記ＲＲＵ毎のバッファを有しており、前記信号組み合わせ機能は、前記バッファに蓄積された信号の中から前記重複可能な信号を検出し、前記バッファに前記信号を同時に出力させることで信号の組み合わせを実行する。
【００３８】
関連技術と異なりＢＢＵは、記憶部１８０からなるＢＢＵ側の信号組み合わせ機能１９０−２を有する。図４は、記憶部１８０の装置構成例を説明する図である。記憶部１８０は、各ＲＲＵへ送るＩＱデータを宛先のＲＲＵごとに保存するデータバッファ１８２とデータバッファの出力を制御する制御部１８１を有する。
【００３９】
制御部１８１は、全ＲＲＵの無線帯域割当情報を入力された際、足し合わせても周波数軸上で信号が重ならない任意の無線信号の組み合わせを選択する。制御部１８１は、この選択した組み合わせの無線信号が同時に出力されるようデータバッファ１８２に命令を出し、データバッファ１８２から出力された信号は加算されて出力される。データバッファ１８２の出力は、ＦＩＦＯ（Ｆｉｒｓｔ  Ｉｎ  Ｆｉｒｓｔ  Ｏｕｔ）に従う。また制御部１８１は、足し合わせた際の信号品質劣化が許容値以下となるような、無線信号の組み合わせを選択しても良い。信号品質劣化の許容値は、例えば非特許文献２に記載される許容値である。
【００４０】
一方、前記信号組み合わせ機能は、全ての前記バッファに蓄積された信号について重複不可能と判断したときは前記バッファから前記信号を１つずつ出力させる。足し合わせても周波数軸上で信号が重ならない無線信号の組み合わせが一つも存在しない場合、制御部１８１はデータバッファ１８２に一つずつ出力命令を出す。ＬＴＥの場合、制御部１８１の組み合わせ選択の更新周期ｔｃｙｃは、最小でｔｃｙｃ＝７１．４μｓである。
【００４１】
図５は、本実施形態の分散型無線通信基地局システムの下りリンクの動作例を説明する図である。ＢＢＵの記憶部１８０は、足し合わせても重ならないＲＲＵ＃１とＲＲＵ＃２の無線信号を加算する。ＲＲＵ＃１及びＲＲＵ＃２は、この足し合わされた信号を受信し、別途伝達される無線帯域割当情報に基づいて所望の周波数成分だけをフィルタバンク３３ａで取り出し、配下の無線端末１０１へ送信する。
【００４２】
また、前記信号組み合わせ機能は、前記ＲＲＵへ伝送する信号のうち全ての前記ＲＲＵで共通する信号であれば前記重複可能な信号と判断してもよい。ＢＢＵで複数の無線信号を加算する際、信号が周波数軸上で重なるとしても、同じ信号であれば加算しても良い。例えば、下りリンクにおいて基地局が、端末においてチャネル推定を行うためリファレンス信号を送信する場合があり、このリファレンス信号は各ＲＲＵで同じ信号となる場合がある。このような場合はこのリファレンス信号を加算して送信しても良い。
【００４３】
以下は、本実施形態の分散型無線通信基地局システムをまとめたものである。
＜課題＞
関連技術のデジタルＲｏＦ伝送では、ＢＢＵから各ＲＲＵへの信号は個別のチャネルを用いて伝送する必要があった。
＜解決手段＞
ＢＢＵが無線帯域割当情報を基に、足し合わせても信号品質がほとんど劣化しない複数の無線信号を加算してＲＲＵへ伝送し、別途伝達された無線帯域割当情報に基づいて各ＲＲＵで加算された信号から自装置宛の無線信号を抽出する。
＜効果＞
本発明は、無線帯域の使用状況に応じてＢＢＵがＲＲＵへ送る複数の信号を一つにまとめて送信する事ができるため、ＰＯＮシステムの下りリンクの所要帯域を減少できる。
【符号の説明】
【００４４】
１１：アンテナ
１２：送受切替部
２１：増幅器
２２：ダウンコンバート部
２３：Ａ／Ｄ変換部
２４：ベースバンドフィルタ部（上り）
２５：フレーム変換部
２６：Ｅ／Ｏ変換部
３１：Ｏ／Ｅ変換部
３２：フレーム変換部
３３：ベースバンドフィルタ部（下り）
３３ａ：フィルタバンク
３３ｂ：フィルタ係数決定部
３３ｃ−１、３３ｃ−２、・・・、３３ｃ−ｎ：フィルタ
３４：Ｄ／Ａ変換部
３５：アップコンバート部
３６：増幅器
４１：Ｏ／Ｅ変換部
４２：フレーム変換部
４３：変復調部
５０：制御信号作成部
５１：フレーム変換部
５２：Ｅ／Ｏ変換部
１０１：携帯端末
１１０：ＢＢＵ
１２０：ＲＲＵ
１３０：ＰＯＮシステム
１６８ｂ：無線帯域割当情報（下り）抽出部
１８０：記憶部
１８１：制御部
１８２、１８２−１、１８２−２、・・・、１８２−ｎ：データバッファ
１９０−１、１９０−２：信号組み合わせ機能
３０１：分散型無線通信基地局システム
【図１】
2014086994.tif 000003
【図２】
2014086994.tif 000004
【図３】
2014086994.tif 000005
【図４】
2014086994.tif 000006
【図５】
2014086994.tif 000007
【図６】
2014086994.tif 000008
【図７】
2014086994.tif 000009
【図８】
2014086994.tif 000010
【図９】
2014086994.tif 000011
【図１０】
2014086994.tif 000012